(57)【要約】【課題】蛍光灯はあらゆる場所で使用される重要な照明器具である。この寿命を延長させるために様々な取り組みがなされてきた。しかし有効な解決方法を見出すことができなかった。【解決手段】蛍光灯の寿命を延長させる方法として、その構造を複数電極、複数フィラメントにすることにより、比較的、容易にこの目的を達成することができる。これによって省資源、環境問題にも大きく貢献できることになる。【選択図】図１０
2006339128.tif 000002
【特許請求の範囲】
【請求項１】
蛍光灯における電極とフィラメントの構成で、第１の方法としては、電極が片側に４Ｐ、両側に８Ｐに配置した構造となっており、蛍光灯の内部に組み込まれたフィラメントを独立した片側に２個、両側に４個を配置した構成、また、別の例としてはフィラメントを放射状に配置して、片側に３個、両側に６個を組み込んだ構成、第２の方法としては、電極を片側に５Ｐ、両側に１０Ｐに配置した構造となっており、蛍光灯の内部に組み込まれたフィラメントを放射状に配置して、片側に４個、両側に８個を組み込んだ構成、第３の方法としては、電極が片側に６Ｐ、両側に１２Ｐに配置した構造となっており、蛍光灯の内部に組み込まれたフィラメントは、独立した片側に３個、両側に６個を配置した構成、また、別の例としてはフィラメントを放射状に配置して片側に５個、両側に１０個を組み込んだ構成になっているもので、このように蛍光灯の電極を複数化して片側に４〜６Ｐ（両側に８〜１２Ｐ）、フィラメントを片側に２〜５個（両側に４〜１０個）に複数個、配置、構成したことを特徴とする蛍光灯。
【請求項２】
請求項１における蛍光灯の複数電極、複数フィラメントの構成において、蛍光灯が正常な点灯状態にあったものが、両端一対の電極、フィラメントにヘタリや断線が発生した場合、点灯維持が不可能になり、両端一対の電極、フィラメントは寿命を向えたことになるが、この時、蛍光灯の外部両端に設置したスイッチを操作し、点灯維持が不可能となった電極、フィラメントによる点灯を取りやめて、次の新しい両端一対の電極、フィラメントに切換える、このように両端一対の電極、フィラメントに不具合が生じた場合、外部に設置したスイッチによって、新しい電極、フィラメントに切換える機能を持たせているもので、複数電極、複数フィラメントによる蛍光灯を外部にスイッチを設置することにより、電極、フィラメントにヘタリや断線が発生しても、新しい両端一対の電極、フィラメントに切換えて使用することができ、蛍光灯の寿命を延長させることができるもので、このように蛍光灯の外部にスイッチを設置して蛍光灯の点灯時間を延長させることを特徴とする蛍光灯のスイッチ回路。
【発明の詳細な説明】
【技術分野】
【０００１】  本発明は、複数電極、複数フィラメントによって蛍光灯の長寿命化を図ったことおよびスイッチ回路に関するものである。
【背景技術】
【０００２】  蛍光灯は一般的に次のような種類がある。第１には電極とフィラメントを使用したもの、第２は冷陰極電極を使用した蛍光灯、第３は電極のない無電極による点灯方式によるものがある。ここでは電極とフィラメントを使用した点灯方式について説明する。従来、蛍光灯（放電管の一種）の電源として、交流商用電源（ＡＣ１００Ｖ５０／６０Ｈｚ）を利用したスタータ（グロー放電管）式点灯回路、ラビッドスタート型点灯回路またはインバータ式点灯回路等を使用して蛍光灯の点灯を行なってきた。この際、蛍光灯は一定の期間を経過すると寿命（一般的には５０００〜９０００時間）を向え、点灯しなくなるのが通常であった。この古い蛍光灯は廃棄され、新しい蛍光灯に交換して使用することが日常的に実施されている。私達の家庭内においても蛍光灯は数１０灯が使用されている。その他、工場、事務所、公共施設、駅ターミナル、マンション、学校、競技場、店舗、飲食店、ホテル、外灯等その他多くの場所において数１００灯、あるいはそれ以上使用されているのが現状である。日本全体では数１０億本、それ以上の蛍光灯が使用されていることが推測される。これらの古くなった蛍光灯は寿命を向えるとゴミとして廃棄されているのが現状であり、その廃棄量はおびただしく大きいものである。【０００３】  近年、世界的に地球環境問題が大きな関心を集めている。この中で、地球資源の浪費の問題は、ゴミ処理問題と共にたいへん重要な問題である。世界中で使用されている、蛍光灯は私達の生活の中ではなくてはならない必需品となっている。いままで、古くなった蛍光灯は点灯しなくなった時点でゴミとして廃棄される運命にあった。従来、蛍光灯のリサイクル、省資源利用に関して、様々な研究がなされてきたが、有効な成果を得ることができなかった。本発明では、複数電極、複数フィラメントの採用により、点灯しなくなった蛍光灯の電極、フィラメントを取りやめて、同一面に設置させた、新しい電極、フィラメントを使用して蛍光灯を再点灯させるものである。この方式を利用することにより、従来の蛍光灯の寿命を大幅に延長できるようになる。これによってゴミ処理問題、省資源の考え方を大きく前進させるものである。古くなった蛍光灯の廃棄される部品構成として、ガラス管、蛍光塗料、フィラメント、金属物、絶縁物、水銀等があるがこの中で、たいへん有害な水銀が微量であるが含まれる。
【発明の開示】
【発明が解決しようとする課題】
【０００４】  現在数多く使用されている蛍光灯は電極と内部にフィラメントを組込んだ、片側２Ｐ（両側４Ｐ）の電極による構成がほとんどである。この蛍光灯は寿命を向え点灯しなくなった場合、これを廃棄してきた。この点灯しなくなった古い蛍光灯を調べてみると、蛍光灯内部のフィラメントが片側または両側にヘタリが発生し、電流が流れにくくなったり、または断線状態にあり、フィラメントに電流が流れなくなり、電子放出ができなくなるために蛍光灯の点灯ができなくなるものである。この蛍光灯は新しい蛍光灯と交換され、古い蛍光灯は廃棄処分となる。蛍光灯の寿命は一般的に点灯時間が５０００〜９０００時間となっている。１日１０時間点灯した場合、約５００〜９００日の点灯が可能である。点灯しなくなった古い蛍光灯を交換する場合、一般家庭においては比較的簡単に交換が可能であるが、工場、事務所、公共施設、駅ターミナル、マンション、学校、競技場、店舗、飲食店、ホテル、外灯等には高所に設置されている場合が多く、この交換作業は非常に危険でたいへん難しい作業であり、専門家に任されているのが現実である。また外灯に代表される野外に設置される蛍光灯は厳しい環境の中で、蛍光灯を交換作業をすることはたいへん難しい作業となっている。このように蛍光灯の寿命を延長することはたいへん重要な技術であり、強く求められているものである。
【課題を解決するための手段】
【０００５】  点灯しなくなった古い蛍光灯を再点灯させる方法として、本発明では、同一面に複数の電極（フィラメント）を配置して、点灯しなくなった場合、いままで使用した電極（フィラメント）を取りやめて、新しい電極（フィラメント）に切換えるものである。新しい電極（フィラメント）は、いままで使用されていなかったために、新品と同様に蛍光灯が点灯することになるのである。電極の切換えは、蛍光灯の両側に設置したスイッチ回路によって、接点を切換えることにより行なわれる。これによって蛍光灯は再点灯が可能となり、点灯時間も５０００〜９０００時間の延長が可能となる。点灯しなくなった古い蛍光灯を再度、復活点灯させ、従来の寿命を２倍に延長させることが可能になるのである。さらに電極（フィラメント）の数を増やしていけばさらに蛍光灯の寿命延長が可能となる。これによって、蛍光灯の消費量を半分以下にすることができ、ゴミとしての廃棄量も大幅に減らすことができる。また点灯しなくなった古い蛍光灯の交換作業も大幅に軽減されるのである。このように従来方式では、点灯しなくなった古い蛍光灯はゴミとして廃棄処分するしかなかったが、今回の発明装置を使用すれば、蛍光灯の寿命は実質的に２倍以上の延長が可能となり、省資源、環境問題の観点から見て、私達の社会生活に大きな貢献が可能になる。【０００６】  本発明により従来の課題を解決し、複数の電極（フィラメント）を設けることにより蛍光灯の寿命を大幅に延長させたものであり、発明の目的を達成するために蛍光灯に係る方式および装置を提供するものである。本発明の代表的な片側４Ｐ（両側８Ｐ）の複数電極（複数フィラメント）について説明すると、蛍光灯の両端面部に各４Ｐの電極を設置する。その構造は、電極が四隅に配置され、フィラメントを片側２個（両側４個）配置する構成となっている。まず第１系統の電極（フィラメント）を使用して蛍光灯を点灯させる。一定の期間継続して使用すると蛍光灯は寿命を向え（フィラメントのヘタリまたは断線）点灯しなくなる。この時スイッチを切換えて、第２系統の電極（フィラメント）に接続する。これによって、蛍光灯は再点灯可能な状態になり点灯を開始する。このように電極、フィラメントの配置、構成によって蛍光灯は長寿命化が可能になる。さらに、片側５Ｐ（両側１０Ｐ）の電極（フィラメント）、さらに片側６Ｐ（両側１２Ｐ）の電極（フィラメント）を使用すれば蛍光灯の寿命をさらに延長することができる。また蛍光灯の電極、フィラメントのスペースが確保できれば６極以上の電極（フィラメント）も可能となるのである。
【発明の効果】
【０００７】  複数電極（複数フィラメント）の蛍光灯は単に蛍光灯の寿命を延ばすことのみならず、省資源、環境問題の観点においても重要な役割を持っている。また、高所に設置された蛍光灯は交換作業に危険が伴うものである。蛍光灯の寿命を延長することはこの危険な交換作業を大幅に軽減できるメリットがある。本発明ではもし、第１系統の電極、フィラメントにヘタリまたは断線により蛍光灯が点灯しなくなっても、次の新しい第２系統の電極、フィラメントに切換えることにより蛍光灯を再点灯することができるのである。この切り換えは手動によって行なわれる。さらに第２の電極、フィラメントが寿命を向えた時は、第３の電極、フィラメントに切換えて、点灯を行なうものである。このように複数電極、複数フィラメントを設けることにより、その電極、フィラメントの数に比例して蛍光灯の寿命は延びることになる。このように複数電極（複数フイラメント）蛍光灯は数々の問題点を解決することができる特徴を持っている。
【発明を実施するための最良の形態】
【０００８】  蛍光灯の設置場所は照明器具の性格上、一般的に高所に設置される場合が多い、この際点灯しなくなった古い蛍光灯と新しい蛍光灯を交換する作業は危険が伴うため、専門家に任されているのが現状である。また、蛍光灯は照明の質感、効率、省電力および価格の上で他の照明器具に比べて優位性を持っているために、場所を選ばず使用されている場合が多い。従来の蛍光灯は寿命の点で問題を抱えていたが、複数電極（複数フィラメント）の蛍光灯を使用することにより、寿命を２〜５倍に延ばすことが可能になり、交換作業等のわずらわしいことを大幅に軽減できるようになる。またこの複数電極（複数フィラメント）の蛍光灯は従来の技術の延長線上にあり、現在利用されている製造設備を利用して生産できるので製造コストのアップも最小限にとどめることができる。これによって利用者の負担増もそれほど増えることなく蛍光灯を利用できるのである。加えて、ゴミとしての廃棄量を大幅に軽減することができ、資源のムダ使いをなくし、省資源の達成にも十分貢献できるのある。
【実施例１】
【０００９】  最初に、図１の蛍光灯、２Ｐ電極（フィラメント１個）の発光原理（モデル図）について説明する。まず、図１（１）は正面図で蛍光灯１は、点灯（始動）の際、電極（１）Ａ１０、電極（１）Ｂ１１、電極（２）Ａ１２、電極（２）Ｂ１３に電流を流して予熱すると、高温になったフィラメント（１）Ａ１４、フィラメント（２）Ａ１５で陰極から電子７が豊富に放出される。放出された電子７は反対側の電極（陽極）に引かれて移動し、放電が始まる。放電により流れる電子７は、ガラス管２内に封入された水銀粒子８と衝突する。衝突により水銀粒子８は電子７のエネルギーを受け、紫外線９を発生する。ガラス管内壁に塗布された蛍光物質（蛍光面４）が紫外線９を受けて、可視光線を発生する。またアルゴンガス５は放電を促進するためのものである。蛍光灯１の構造は他にガラス管２、口金３、絶縁板６等で構成されている。また、図１（２）は（１）の平面図、図１（３）は（１）の左側面図、図１（４）は（１）の右側面図、図１（５）は（１）のＡ−Ａ断面図、図１（６）は（１）のＢ−Ｂ断面図を示している。【００１０】  図２は蛍光灯、２Ｐ電極（フィラメント１個）のスタータ（グロー放電管）式点灯回路を説明する。この方式は、あらかじめフィラメント（１）Ａ１４、フィラメント（２）Ａ１５を十分予熱してから放電を行なうものである。交流電源（ＡＣ１００Ｖ５０／６０Ｈｚ１８）を印加して、電極（１）Ａ１０、電極（１）Ｂ１１、電極（２）Ａ１２、電極（２）Ｂ１３に電圧を加えるとスタータ（グロー放電管）１６の接点が閉じ、両方のフィラメント（１）Ａ１４、フィラメント（２）Ａ１５に短絡電流が流れ、フィラメント（１）Ａ１４、フィラメント（２）Ａ１５を予熱して電子７（図１で記述）が放出される。やがて、スタータ（グロー放電管）１６の接点が開くとその瞬間に安定器（インダクタンス）１７からインダクションキック電圧と呼ばれる高電圧がかかり、蛍光灯１が点灯、始動する。始動後はランプ電流による熱でフィラメント（１）Ａ１４、フィラメント（２）Ａ１５が加熱され、電子７が放出され続けるのである。またコンデンサ１９はスタータ（グロー放電管）１６のノイズ低減とフィラメント電流を安定させる役割を持っている。同時に安定器（インダクタンス）１７により蛍光灯１は安定した点灯ができるのである。ここでスイッチ（１）２０は交流電源をＯＮ／ＯＦＦするためのものである。【００１１】  図３は蛍光灯、２Ｐ電極（フィラメント１個）のインバータ式点灯回路を説明する。インバータ式点灯回路２６は図２のスタータ（グロー放電管）式点灯回路と同様にフィラメント（１）Ａ１４、フィラメント（２）Ａ１５を十分予熱してから放電を行なうものである。この回路構成はまず、交流電源（ＡＣ１００Ｖ５０／６０Ｈｚ１８）を印可する。雑音防止用フィルタ２１を経由して、整流回路２２により直流電圧に変換し、高調波低減回路（平滑回路を含む）２３によって直流電圧の電圧変動を低減させるのである。この直流電圧はインバータ回路（高周波変換回路）２４によって２０〜５０ｋＨｚの高周波電圧を発生させ、高周波安定器２５によって蛍光灯１を点灯させるものである。始動後はランプ電流による熱で電極（１）Ａ１０、電極（１）Ｂ１１、電極（２）Ａ１２、電極（２）Ｂ１３とつながるフィラメント（１）Ａ１４、フィラメント（２）Ａ１５が加熱され、電子７（図１で記述）が放出され続けるのである。これによって蛍光灯１は安定した点灯ができるのである。ここでスイッチ（１）２０は交流電源をＯＮ／ＯＦＦするためのものである。【００１２】  図４は本発明の蛍光灯、４Ｐ電極（フィラメント２個）の構造図について説明する。従来の片側２Ｐ電極構造を４Ｐ電極構造にして蛍光灯の長寿命化を図ったものである。具体的には、蛍光灯１の左端に電極（３）Ａ２７、（３）Ｂ２８、（３）Ｃ２９、（３）Ｄ３０、４Ｐを配置し、右端に電極（４）Ａ３１、（４）Ｂ３２、（４）Ｃ３３、（４）Ｄ３４、４Ｐを配置している。また左側にフィラメント（３）Ａ３５、（３）Ｂ３６の２個を配置し、右側にフィラメント（４）Ａ３７、（４）Ｂ３８の２個を配置している。蛍光灯１の発光原理は図１と同様である。まず、電極（３）Ａ２７、（３）Ｂ２８、フィラメント（３）Ａ３５と電極（４）Ａ３１、（４）Ｂ３２、フィラメント（４）Ａ３７で蛍光灯１の点灯を開始する。この電極、フィラメントにヘタリが発生したり、断線して、点灯しなくなった場合はこの電極、フィラメントをやめて、新しい電極（３）Ｃ２９、（３）Ｄ３０、フィラメント（３）Ｂ３６および電極（４）Ｃ３３、（４）Ｄ３４、フィラメント（４）Ｂ３８を使用して蛍光灯を点灯させる。この電極、フィラメントに寿命がくるまで蛍光灯１の点灯を継続できる。尚、電極の切換えはスイッチ切換回路によって、手動にて行なわれる。スイッチ切換回路については後述の図９、図１０にて詳しく説明する。ここで図４（１）は正面図、図４（２）は（１）の平面図、図４（３）は（１）の左側面図、図４（４）は（１）の右側面図、図４（５）は（１）のＡ−Ａ断面図（拡大図）、図４（６）は（１）のＢ−Ｂ断面図（拡大図）を示している。本発明では電極およびフィラメントの配置、構成について具体例によって説明しているが、複数電極、複数フィラメントの配置、構成については、これに限定するものではない。【００１３】  図５では本発明の蛍光灯、４Ｐ電極（フィラメント３個）の構造図について説明する。従来の片側２Ｐ電極構造を４Ｐ電極構造にして蛍光灯の長寿命化を図ったものである。具体的には、蛍光灯１の左端に電極（５）Ａ３９、（５）Ｂ４０、（５）Ｃ４１、（５）Ｄ４２、４Ｐを配置し、右端に電極（６）Ａ４３、（６）Ｂ４４、（６）Ｃ４５、（６）Ｄ４６、４Ｐを配置している。また左側にフィラメント（５）Ａ４７、（５）Ｂ４８、（５）Ｃ４９の３個を配置し、右側にフィラメント（６）Ａ５０、（６）Ｂ５１、（６）Ｃ５２の３個を配置している。蛍光灯１の発光原理は図１と同様である。まず、電極（５）Ａ３９、（５）Ｂ４０、フィラメント（５）Ａ４７と電極（６）Ａ４３、（６）Ｂ４４、フィラメント（６）Ａ５０で点灯を開始する。この電極、フィラメントにヘタリが発生したり、断線して、点灯しなくなった場合はこの電極、フィラメントをやめて、新しい電極（５）Ａ３９、（５）Ｃ４１、フィラメント（５）Ｂ４８および電極（６）Ａ４３、（６）Ｃ４５、フィラメント（６）Ｂ５１を��用して蛍光灯１を点灯させる。またこの電極、フィラメントにヘタリが発生したり、断線して、点灯しなくなった場合はこの電極、フィラメントをやめて、新しい電極（５）Ａ３９、（５）Ｄ４２、フィラメント（５）Ｃ４９および電極（６）Ａ４３、（６）Ｄ４６、フィラメント（６）Ｃ５２を使用して蛍光灯１を点灯させる。この電極、フィラメントに寿命がくるまで蛍光灯１の点灯を継続できる。尚、この電極の切換えはスイッチ切換回路によって、手動にて行なわれる。スイッチ切換回路については図１１にて詳しく説明する。ここで図５（１）は正面図、図５（２）は（１）の左側面図、図５（３）は（１）の右側面図、図５（４）は（１）のＡ−Ａ断面図（拡大図）、図５（５）は（１）のＢ−Ｂ断面図（拡大図）を示している。【００１４】  図６は本発明の蛍光灯、５Ｐ電極（フィラメント４個）の構造図について説明する。従来の片側２Ｐ電極構造を４Ｐ電極構造にして蛍光灯の長寿命化を図ったものである。具体的には、蛍光灯１の左端に電極（７）Ａ５３、（７）Ｂ５４、（７）Ｃ５５、（７）Ｄ５６、（７）Ｅ５７、５Ｐを配置し、右端に電極（８）Ａ５８、（８）Ｂ５９、（８）Ｃ６０、（８）Ｄ６１、（８）Ｅ６２、５Ｐを配置している。また左側にフィラメント（７）Ａ６３、（７）Ｂ６４、（７）Ｃ６５、（７）Ｄ６６の４個を配置し、右側にフィラメント（８）Ａ６７、（８）Ｂ６８、（８）Ｃ６９、（８）Ｄ７０の４個を配置している。蛍光灯１の発光原理は図１と同様である。まず、電極（７）Ａ５３、（７）Ｂ５４、フィラメント（７）Ａ６３と電極（８）Ａ５８、（８）Ｂ５９、フィラメント（８）Ａ６７で蛍光灯１の点灯を開始する。この電極、フィラメントにヘタリが発生したり、断線して、点灯しなくなった場合はこの電極、フィラメントをやめて、新しい電極（７）Ａ５３、（７）Ｃ５５、フィラメント（７）Ｂ６４および電極（８）Ａ５８、（８）Ｃ６０、フィラメント（８）Ｂ６８を使用して蛍光灯１を点灯させる。また、この電極、フィラメントにヘタリが発生したり、断線して、点灯しなくなった場合はこの電極、フィラメントをやめて、新しい電極（７）Ａ５３、（７）Ｄ５６、フィラメント（７）Ｃ６５および電極（８）Ａ５８、（８）Ｄ６１、フィラメント（８）Ｃ６９を使用して蛍光灯１を点灯させる。また、この電極、フィラメントにヘタリが発生したり、断線して、点灯しなくなった場合はこの電極、フィラメントをやめて、最後の新しい電極（７）Ａ５３、（７）Ｅ５７、フィラメント（７）Ｄ６６および電極（８）Ａ５８、（８）Ｅ６２、フィラメント（８）Ｄ７０を使用して蛍光灯１を点灯させる。この電極、フィラメントに寿命がくるまで蛍光灯１の点灯を継続できる。尚、この電極の切換えはスイッチ切換回路によって、手動にて行なわれる。スイッチ切換回路については図１２にて詳しく説明する。ここで図６（１）は正面図、図６（２）は（１）の左側面図、図６（３）は（１）の右側面図、図６（４）は（１）のＡ−Ａ断面図（拡大図）、図６（５）は（１）のＢ−Ｂ断面図（拡大図）を示している。【００１５】  図７は本発明の蛍光灯、６Ｐ電極（フィラメント３個）の構造図について説明する。従来の片側２Ｐ電極構造を６Ｐ電極構���にして蛍光灯の長寿命化を図ったものである。具体的には、蛍光灯１の左端に電極（９）Ａ７１、（９）Ｂ７２、（９）Ｃ７３、（９）Ｄ７４、（９）Ｅ７５、（９）Ｆ７６、６Ｐを配置し、右端に電極（１０）Ａ７７、（１０）Ｂ７８、（１０）Ｃ７９、（１０）Ｄ８０、（１０）Ｅ８１、（１０）Ｆ８２、６Ｐを配置している。また左側にフィラメント（９）Ａ８３、（９）Ｂ８４、（９）Ｃ８５の３個を配置し、右側にフィラメント（１０）Ａ８６、（１０）Ｂ８７、（１０）Ｃ８８の３個を配置している。蛍光灯１の発光原理は図１と同様である。まず、電極（９）Ａ７１、（９）Ｂ７２、フィラメント（９）Ａ８３と電極（１０）Ａ７７、（１０）Ｂ７８、フィラメント（１０）Ａ８６で蛍光灯１の点灯を開始する。この電極、フィラメントにヘタリが発生したり、断線して、点灯しなくなった場合はこの電極、フィラメントをやめて、新しい電極（９）Ｃ７３、（９）Ｄ７４、フィラメント（９）Ｂ８４および電極（１０）Ｃ７９、（１０）Ｄ８０、フィラメント（１０）Ｂ８７を使用して蛍光灯１を点灯させる。またこの電極、フィラメントにヘタリが発生したり、断線して、点灯しなくなった場合はこの電極、フィラメントをやめて、最後の新しい電極（９）Ｅ７５、（９）Ｆ７６、フィラメント（９）Ｃ８５および電極（１０）Ｅ８１、（１０）Ｆ８２、フィラメント（１０）Ｃ８８を使用して蛍光灯１を点灯させる。この電極、フィラメントに寿命がくるまで蛍光灯１の点灯を継続できる。尚、この電極の切換えはスイッチ切換回路によって、手動にて行なわれる。スイッチ切換回路については図１３にて詳しく説明する。ここで図７（１）は正面図、図７（２）は（１）の左側面図、図７（３）は（１）の右側面図、図７（４）は（１）のＡ−Ａ断面図（拡大図）、図７（５）は（１）のＢ−Ｂ断面図（拡大図）を示している。【００１６】  図８は本発明の蛍光灯、６Ｐ電極（フィラメント５個）の構造図について説明する。従来の片側２Ｐ電極構造を６Ｐ電極構造にして蛍光灯の長寿命化を図ったものである。具体的には、蛍光灯１の左端に電極（１１）Ａ８９、（１１）Ｂ９０、（１１）Ｃ９１、（１１）Ｄ９２、（１１）Ｅ９３、（１１）Ｆ９４、６Ｐを配置し、右端に電極（１２）Ａ９５、（１２）Ｂ９６、（１２）Ｃ９７、（１２）Ｄ９８、（１２）Ｅ９９、（１２）Ｆ１００、６Ｐを配置している。また左側にフィラメント（１１）Ａ１０１、（１１）Ｂ１０２、（１１）Ｃ１０３、（１１）Ｄ１０４、（１１）Ｅ１０５の５個を配置し、右側にフィラメント（１２）Ａ１０６、（１２）Ｂ１０７、（１２）Ｃ１０８、（１２）Ｄ１０９、（１２）Ｅ１１０の５個を配置している。蛍光灯１の発光原理は図１と同じである。まず、左側の電極（１１）Ａ８９、（１１）Ｂ９０、フィラメント（１１）Ａ１０１と右側の電極（１２）Ａ９５、（１２）Ｂ９６、フィラメント（１２）Ａ１０６で蛍光灯１の点灯を開始する。この電極、フィラメントにヘタリが発生したり、断線して、点灯しなくなった場合はこの電極、フィラメントをやめて、新しい電極（１１）Ａ８９、（１１）Ｃ９１、フィラメント（１１）Ｂ１０２および電極（１２）Ａ９５、（１２）Ｃ９７、フィラメント（１２）Ｂ１０��を使用して蛍光灯１を点灯させる。また、この電極、フィラメントにヘタリ発生がしたり、断線して、点灯しなくなった場合はこの電極、フィラメントをやめて、新しい電極（１１）Ａ８９、（１１）Ｄ９２、フィラメント（１１）Ｃ１０３および電極（１２）Ａ９５、（１２）Ｄ９８、フィラメント（１２）Ｃ１０８を使用して蛍光灯１を点灯させる。また、この電極、フィラメントにヘタリが発生したり、断線して、点灯しなくなった場合はこの電極、フィラメントをやめて、新しい電極（１１）Ａ８９、（１１）Ｅ９３、フィラメント（１１）Ｄ１０４および電極（１２）Ａ９５、（１２）Ｅ９９、フィラメント（１２）Ｄ１０９を使用して蛍光灯１を点灯させる。さらにこの電極、フィラメントにヘタリや断線が発生し、点灯しなくなった場合はこの電極、フィラメントをやめて、最後の新しい電極（１１）Ａ８９、（１１）Ｆ９４、フィラメント（１１）Ｅ１０５および電極（１２）Ａ９５、（１２）Ｆ１００、フィラメント（１２）Ｅ１１０を使用して蛍光灯１を点灯させる。この電極、フィラメントに寿命がくるまで蛍光灯１の点灯を継続できる。尚、この電極の切換えはスイッチ切換回路によって、手動にて行なわれる。スイッチ切換回路については図１４にて詳しく説明する。ここで図８（１）は正面図、図８（２）は（１）の左側面図、図８（３）は（１）の右側面図、図８（４）は（１）のＡ−Ａ断面図（拡大図）、図８（５）は（１）のＢ−Ｂ断面図（拡大図）を示している。
【実施例２】
【００１７】  図９は本発明の蛍光灯、４Ｐ電極（フィラメント２個）にスタータ（グロー放電管）式点灯回路とスイッチ回路を設置した場合のモデル図である。ここでは図４で説明した内容の蛍光灯についてモデル図によって具体的に説明する。最初に蛍光灯１を点灯する際は、左側の電極（３）Ａ２７、（３）Ｂ２８、フィラメント（３）Ａ３５と右側の電極（４）Ａ３１、（４）Ｂ３２、フィラメント（４）Ａ３７を使用する。この時に左側のスイッチ（２）１１１は接点１と２が接触子（２）１１２によって接続され、電極（３）Ａ２７とつながっている。また右側のスイッチ（３）１１３は接点１と２が接触子（２）１１２によって接続され、電極（４）Ａ３１とつながっている。さらに電極（３）Ｂ２８、電極（４）Ｂ３２はスタータ（グロー放電管）１６とコンデンサ１９に接続される。蛍光灯１はこの電極、フィラメントおよび安定器（インダクタンス）１７によって、そのまま安定して点灯するが、この電極、フィラメントにヘタリが発生したり、断線した場合は、蛍光灯１は正常な点灯状態を維持できず、最悪の場合、点灯できない状態となり、この電極、フィラメントは寿命を向えたことになる。このような状態になった場合は、ＡＣ１００Ｖ５０／６０Ｈｚ１８の近傍に設置されたスイッチ（１）２０をＯＦＦにして、次に左側のスイッチ（２）１１１の接点１と３側に接触子（２）１１２を切換える。また、右側のスイッチ（３）１１３の接点１と３側に接触子（２）１１２を切換える。これによって新しい左側の電極（３）Ｃ２９、（３）Ｄ３０、フィラメント（３）Ｂ３６、右側の電極（４）Ｃ３３、（４）Ｄ３４、フィラメント（４）Ｂ３８に接続される。この一連の操作が完了するとスイッチ（１）２０をＯＮにして新しい電極、フィラメント、左側の電極（３）Ｃ２９、（３）Ｄ３０、フィラメント（３）Ｂ３６、右側の電極（４）Ｃ３３、（４）Ｄ３４、フィラメント（４）Ｂ３８よる点灯を開始する。ここで電極（３）Ｄ３０、電極（４）Ｄ３４はスタータ（グロー放電管）１６とコンデンサ１９に接続される。この電極、フィラメントに寿命がくるまで蛍光灯１の点灯を継続できる。尚、蛍光灯１の点灯方法については図２によって詳しく説明した通りである。このように片側４Ｐ（両側８Ｐ）電極、片側２個（両側４個）フィラメントを使用した蛍光灯１は、従来の２倍の寿命延長が可能となる。【００１８】  図１０は本発明の蛍光灯、４Ｐ電極（フィラメント２個）にインバータ式点灯回路とスイッチ回路を設置した場合のモデル図である。ここでは図４で説明した内容の蛍光灯についてモデル図によって具体的に説明する。蛍光灯１はインバータ式点灯回路２６によって点灯を開始する。最初に蛍光灯１を点灯する際は、左側の電極（３）Ａ２７、（３）Ｂ２８、フィラメント（３）Ａ３５と右側の電極（４）Ａ３１、（４）Ｂ３２、フィラメント（４）Ａ３７を使用する。この時に左側のスイッチ（２）１１１は接点１と２が接触子（２）１１２によって接続され、電極（３）Ａ２７とつながっている。また右側のスイッチ（３）１１３は接点１と２が接触子（２）１１２によって接続され、電極（４）Ａ３１とつながっている。さらに電極（３）Ｂ２８、電極（４）Ｂ３２は��ンバータ式点灯回路２６につながっている。蛍光灯１は電極、フィラメントによって、そのまま安定して点灯するが、この電極、フィラメントにヘタリが発生したり、断線した場合は、蛍光灯は正常な点灯状態を維持できず、最悪の場合、点灯できない状態となり、この電極、フィラメントは寿命を向えたことになる。このような状態になった場合は、ＡＣ１００Ｖ５０／６０Ｈｚ１８の近傍に設置されたスイッチ（１）２０をＯＦＦにして、次に左側のスイッチ（２）１１１の接点１と３側に接触子（２）１１２を切換える。また、右側のスイッチ（３）１１３の接点１と３側に接触子（２）１１２を切換える。これによって最後の新しい左側の電極（３）Ｃ２９、（３）Ｄ３０、フィラメント（３）Ｂ３６、右側の電極（４）Ｃ３３、（４）Ｄ３４、フィラメント（４）Ｂ３８に接続される。この一連の操作が完了するとスイッチ（１）２０をＯＮにして新しい電極、フィラメントよる点灯を開始する。この電極、フィラメントに寿命がくるまで蛍光灯１の点灯を継続できる。尚、蛍光灯１の点灯方法については図３によって詳しく説明した通りである。このように片側４Ｐ（両側８Ｐ）電極、片側２個（両側４個）フィラメントを使用した蛍光灯１は、従来の２倍の寿命延長が可能となる。【００１９】  図１１は本発明の蛍光灯、４Ｐ電極（フィラメント３個）にインバータ式点灯回路とスイッチ回路を設置した場合のモデル図である。ここでは図５で説明した内容の蛍光灯についてモデル図によって具体的に説明する。蛍光灯１はインバータ式点灯回路２６によって点灯を開始する。最初に蛍光灯１を点灯する際は、左側の電極（５）Ａ３９、（５）Ｂ４０、フィラメント（５）Ａ４７と右側の電極（６）Ａ４３、（６）Ｂ４４、フィラメント（６）Ａ５０を使用する。この時に左側のスイッチ（４）１１４は接点１と４が接触子（３）１１５によって接続され、電極（５）Ｂ４０とつながっている。また右側のスイッチ（５）１１６は接点１と４が接触子（３）１１５によって接続され、電極（６）Ｂ４４とつながっている。また電極（５）Ａ３９、電極（６）Ａ４３はインバータ式点灯回路２６につながっている。蛍光灯１はこの電極、フィラメントによって、そのまま安定して点灯するが、この電極、フィラメントにヘタリが発生したり、断線した場合は、蛍光灯１は正常な点灯状態を維持できず、最悪の場合、点灯できない状態となり、この電極、フィラメントは寿命を向えたことになる。このような状態になった場合は、ＡＣ１００Ｖ５０／６０Ｈｚ１８の近傍に設置されたスイッチ（１）２０をＯＦＦにして、次に左側のスイッチ（４）１１４の接点２と５側に接触子（３）１１５を切換える。また、右側のスイッチ（５）１１６の接点２と５側に接触子（３）１１５を切換える。これによって新しい左側の電極（５）Ａ３９、（５）Ｃ４１、フィラメント（５）Ｂ４８、右側の電極（６）Ａ４３、（６）Ｃ４５、フィラメント（６）Ｂ５１に接続される。この一連の操作が完了するとスイッチ（１）２０をＯＮにして新しい電極、フィラメントによる点灯を開始する。蛍光灯１はそのまま安定して点灯するが、この電極、フィラメントにヘタリが発生したり、断線した場合は、蛍光灯１は正常な点灯状態を維持できず、最悪の場合、点灯できない状態となり、この電極、フィラメントは寿命を向えたことになる。このような状態になった場合は、スイッチ（１）２０をＯＦＦにして、次に左側のスイッチ（４）１１４の接点３と６側に接触子（３）１１５を切換える。また、右側のスイッチ（５）１１６の接点３と６側に接触子（３）１１５を切換える。これによって最後の新しい左側の電極（５）Ａ３９、（５）Ｄ４２、フィラメント（５）Ｃ４９、右側の電極（６）Ａ４３、（６）Ｄ４６、フィラメント（６）Ｃ５２に接続される。この一連の操作が完了するとスイッチ（１）２０をＯＮにして新しい電極、フィラメントによる点灯を開始する。この電極、フィラメントに寿命がくるまで蛍光灯１の点灯を継続できる。尚、蛍光灯１の点灯方法については図３によって詳しく説明した通りである。このように片側４Ｐ（両側８Ｐ）電極、片側３個（両側６個）フィラメントを使用した蛍光灯１は、従来の３倍の寿命延長が可能となる。【００２０】  図１２は本発明の蛍光灯、５Ｐ電極（フィラメント４個）にインバータ式点灯回路とスイッチ回路を設置した場合のモデル図である。ここでは図６で説明した内容の蛍光灯についてモデル図によって具体的に説明する。蛍光灯１はインバータ式点灯回路２６によって点灯を開始する。最初に蛍光灯１を点灯する際は、左側の電極（７）Ａ５３、（７）Ｂ５４、フィラメント（７）Ａ６３と右側の電極（８）Ａ５８、（８）Ｂ５９、フィラメント（８）Ａ６７を使用する。この時に左側のスイッチ（６）１１７は接点１と５が接触子（５）１１８によって接続され、電極（７）Ｂ５４とつながっている。また右側のスイッチ（７）１１９は接点１と５が接触子（５）１１８によって接続され、電極（８）Ｂ５９とつながっている。また電極（７）Ａ５３、電極（８）Ａ５８はインバータ式点灯回路２６につながっている。蛍光灯１はこの電極、フィラメントによって、そのまま安定して点灯するが、この電極、フィラメントにヘタリが発生したり、断線した場合は、蛍光灯１は正常な点灯状態を維持できず、最悪の場合、点灯できない状態となり、この電極、フィラメントは寿命を向えたことになる。このような状態になった場合は、ＡＣ１００Ｖ５０／６０Ｈｚ１８の近傍に設置されたスイッチ（１）２０をＯＦＦにして、次に左側のスイッチ（６）１１７の接点２と６側に接触子（５）１１８を切換える。また、右側のスイッチ（７）１１９の接点２と６側に接触子（５）１１８を切換える。これによって新しい左側の電極（７）Ａ５３、（７）Ｃ５５、フィラメント（７）Ｂ６４、右側の電極（８）Ａ５８、（８）Ｃ６０、フィラメント（８）Ａ６８に接続される。この一連の操作が完了するとスイッチ（１）２０をＯＮにして新しい電極、フィラメントによる点灯を開始する。蛍光灯１はそのまま安定して点灯するが、この電極、フィラメントにヘタリが発生したり、断線した場合は、蛍光灯１は正常な点灯状態を維持できず、最悪の場合、点灯できない状態となり、この電極、フィラメントは寿命を向えたことになる。【００２１】  このような状態になった場合は、スイッチ（１）２０をＯＦＦにして、次に左側のスイッチ（６）１１７の接点３と７側に接触子（５）１１８を��換える。また、右側のスイッチ（７）１１９の接点３と７側に接触子（５）１１８を切換える。これによって新しい左側の電極（７）Ａ５３、（７）Ｄ５６、フィラメント（７）Ｃ６５、右側の電極（８）Ａ５８、（８）Ｄ６１、フィラメント（８）Ｃ６９に接続される。この一連の操作が完了するとスイッチ（１）２０をＯＮにして新しい電極、フィラメントによる点灯を開始する。蛍光灯１はそのまま安定して点灯するが、この電極、フィラメントにヘタリが発生したり、断線した場合は、蛍光灯１は正常な点灯状態を維持できず、最悪の場合、点灯できない状態となり、この電極、フィラメントは寿命を向えたことになる。このような状態になった場合は、スイッチ（１）２０をＯＦＦにして、次に左側のスイッチ（６）１１７の接点４と８側に接触子（５）１１８を切換える。また、右側のスイッチ（７）１１９の接点４と８側に接触子（５）１１８を切換える。これによって、最後の新しい左側の電極（７）Ａ５３、（７）Ｅ５７、フィラメント（７）Ｄ６６、右側の電極（８）Ａ５８、（８）Ｅ６２、フィラメント（８）Ｄ７０に接続される。この一連の操作が完了するとスイッチ（１）２０をＯＮにして新しい電極、フィラメントによる点灯を開始する。この電極、フィラメントに寿命がくるまで蛍光灯１の点灯を継続できる。尚、蛍光灯１の点灯方法については図３によって詳しく説明した通りである。このように片側５Ｐ（両側１０Ｐ）電極、片側４個（両側８個）フィラメントを使用した蛍光灯１は、従来の４倍の寿命延長が可能となる。【００２２】  図１３は本発明の蛍光灯、６Ｐ電極（フィラメント３個）にインバータ式点灯回路とスイッチ回路を設置した場合のモデル図である。ここでは図７で説明した内容の蛍光灯についてモデル図によって具体的に説明する。蛍光灯１はインバータ式点灯回路２６によって点灯を開始する。最初に蛍光灯１を点灯する際は、左側の電極（９）Ａ７１、（９）Ｂ７２、フィラメント（９）Ａ８３と右側の電極（１０）Ａ７７、（１０）Ｂ７８、フィラメント（１０）Ａ８６を使用する。この時に左側のスイッチ（８）１２０は接点１と４が接触子（７）１２１によって接続され、電極（９）Ｂ７２とつながっている。また右側のスイッチ（９）１２２は接点１と４が接触子（７）１２１によって接続され、電極（１０）Ｂ７８とつながっている。また電極（９）Ａ７１、電極（１０）Ａ７７はインバータ式点灯回路２６につながっている。蛍光灯１はこの電極、フィラメントによって、そのまま安定して点灯するが、この電極、フィラメントにヘタリが発生したり、断線した場合は、蛍光灯１は正常な点灯状態を維持できず、最悪の場合、点灯できない状態となり、この電極、フィラメントは寿命を向えたことになる。このような状態になった場合は、ＡＣ１００Ｖ５０／６０Ｈｚ１８の近傍に設置されたスイッチ（１）２０をＯＦＦにして、次に左側のスイッチ（８）１２０の接点２と５側に接触子（７）１２１を切換える。また、右側のスイッチ（９）１２２の接点２と５側に接触子（７）１２１を切換える。これによって新しい左側の電極（９）Ｃ７３、（９）Ｄ７４、フィラメント（９）Ｂ８４、右側の電極（１０）Ｃ７９、（１０）Ｄ８０、フィラメント（１０）Ｂ８７に接続される。この一連の操作が完了するとスイッチ（１）２０をＯＮにして新しい電極、フィラメントによる点灯を開始する。蛍光灯１はそのまま安定して点灯するが、この電極、フィラメントにヘタリが発生したり、断線した場合は、蛍光灯１は正常な点灯状態を維持できず、最悪の場合、点灯できない状態となり、この電極、フィラメントは寿命を向えたことになる。このような状態になった場合は、スイッチ（１）２０をＯＦＦにして、次に左側のスイッチ（８）１２０の接点３と６側に接触子（７）１２１を切換える。また、右側のスイッチ（９）１２２の接点３と６側に接触子（７）１２１を切換える。これによって、最後の新しい左側の電極（９）Ｅ７５、（９）Ｆ７６、フィラメント（９）Ｃ８５、右側の電極（１０）Ｅ８１、（１０）Ｆ８２、フィラメント（１０）Ｃ８８に接続される。この一連の操作が完了するとスイッチ（１）２０をＯＮにして新しい電極、フィラメントによる点灯を開始する。この電極、フィラメントに寿命がくるまで蛍光灯１の点灯を継続できる。尚、蛍光灯１の点灯方法については図３によって詳しく説明した通りである。このように片側６Ｐ（両側１２Ｐ）電極、片側３個（両側６個）フィラメントを使用した蛍光灯１は、従来の３倍の寿命延長が可能となる。【００２３】  図１４は本発明の蛍光灯、６Ｐ電極（フィラメント５個）にインバータ式点灯回路とスイッチ回路を設置した場合のモデル図である。ここでは図８で説明した内容の蛍光灯についてモデル図によって具体的に説明する。蛍光灯１はインバータ式点灯回路２６によって点灯を開始する。最初に蛍光灯１を点灯する際は、左側の電極（１１）Ａ８９、（１１）Ｂ９０、フィラメント（１１）Ａ１０１と右側の電極（１２）Ａ９５、（１２）Ｂ９６、フィラメント（１２）Ａ１０６を使用する。この時に左側のスイッチ（１０）１２３は接点１と６が接触子（９）１２４によって接続され、電極（１１）Ｂ９０とつながっている。また右側のスイッチ（１１）１２５は接点１と６が接触子（９）１２４によって接続され、電極（１２）Ｂ９６とつながっている。また電極（１１）Ａ８９、電極（１２）Ａ９５はインバータ式点灯回路２６につながっている。蛍光灯１はこの電極、フィラメントによって、そのまま安定して点灯するが、この電極、フィラメントにヘタリが発生したり、断線した場合は、蛍光灯１は正常な点灯状態を維持できず、最悪の場合、点灯できない状態となり、この電極、フィラメントは寿命を向えたことになる。このような状態になった場合は、ＡＣ１００Ｖ５０／６０Ｈｚ１８の近傍に設置されたスイッチ（１）２０をＯＦＦにして、次に左側のスイッチ（１０）１２３の接点２と７側に接触子（９）１２４を切換える。また、右側のスイッチ（１１）１２５の接点２と７側に接触子（９）１２４を切換える。これによって新しい左側の電極（１１）Ａ８９、（１１）Ｃ９１、フィラメント（１１）Ｂ１０２、右側の電極（１２）Ａ９５、（１２）Ｃ９７、フィラメント（１２）Ｂ１０７に接続される。この一連の操作が完了するとスイッチ（１）２０をＯＮにして新しい電極、フィラメントによる点灯を開始する。蛍光灯１はそのまま安定して点灯するが、この電極、フィ���メントにヘタリが発生したり、断線した場合は、蛍光灯１は正常な点灯状態を維持できず、最悪の場合、点灯できない状態となり、この電極、フィラメントは寿命を向えたことになる。このような状態になった場合は、スイッチ（１）２０をＯＦＦにして、次に左側のスイッチ（１０）１２３の接点３と８側に接触子（９）１２４を切換える。また、右側のスイッチ（１１）１２５の接点３と８側に接触子（９）１２４を切換える。これによって新しい左側の電極（１１）Ａ８９、（１１）Ｄ９２、フィラメント（１１）Ｃ１０３、右側の電極（１２）Ａ９５、（１２）Ｄ９８、フィラメント（１２）Ｃ１０８に接続される。この一連の操作が完了するとスイッチ（１）２０をＯＮにして新しい電極、フィラメントによる点灯を開始する。蛍光灯１はそのまま安定して点灯するが、この電極、フィラメントにヘタリが発生したり、断線した場合は、蛍光灯１は正常な点灯状態を維持できず、最悪の場合、点灯できない状態となり、この電極、フィラメントは寿命を向えたことになる。【００２４】  このような状態になった場合は、スイッチ（１）２０をＯＦＦにして、次に左側のスイッチ（１０）１２３の接点４と９側に接触子（９）１２４を切換える。また、右側のスイッチ（１１）１２５の接点４と９側に接触子（９）１２４を切換える。これによって新しい左側の電極（１１）Ａ８９、（１１）Ｅ９３、フィラメント（１１）Ｄ１０４、右側の電極（１２）Ａ９５、（１２）Ｅ９９、フィラメント（１２）Ｄ１０９に接続される。この一連の操作が完了するとスイッチ（１）２０をＯＮにして新しい電極、フィラメントによる点灯が開始する。蛍光灯１はそのまま安定して点灯するが、この電極、フィラメントにヘタリが発生したり、断線した場合は、蛍光灯１は正常な点灯状態を維持できず、最悪の場合、点灯できない状態となり、この電極、フィラメントは寿命を向えたことになる。このような状態になった場合は、スイッチ（１）２０をＯＦＦにして、次に左側のスイッチ（１０）１２３の接点５と１０側に接触子（９）１２４を切換える。また、右側のスイッチ（１１）１２５の接点５と１０側に接触子（９）１２４を切換える。これによって、最後の新しい左側の電極（１１）Ａ８９、（１１）Ｆ９４、フィラメント（１１）Ｅ１０５、右側の電極（１２）Ａ９５、（１２）Ｆ１００、フィラメント（１２）Ｅ１１０に接続される。この一連の操作が完了するとスイッチ（１）２０をＯＮにして新しい電極、フィラメントによる点灯が開始する。この電極、フィラメントに寿命がくるまで蛍光灯１の点灯を継続できる。尚、蛍光灯１の点灯方法については図３によって詳しく説明した通りである。このように片側６Ｐ（両側１２Ｐ）電極、片側５個（両側１０個）フィラメントを使用した蛍光灯１は、従来の５倍の寿命延長が可能となる。
【産業上の利用可能性】
【００２５】  蛍光灯は照明装置として、たいへん重要な商品で私達の生活になくてはならないものになっている。家庭、工場、事務所、公共施設、駅ターミナル、マンション、学校、競技場、店舗、飲食店、ホテル、外灯等、その他あらゆるところに使用されているのが現状である。この蛍光灯はいままで、片側電極２Ｐ（両側４Ｐ）、フィラメント１個（両側２個）による構造のものが主流であった。この構造では通常、約９０００時間の点灯が限界で、それ以上の延長は技術的にたいへん難しい事柄であった。これを複数電極（片側４〜６Ｐ、両側８〜１２Ｐ）、複数フィラメント（片側２〜５個、両側４〜１０個）の蛍光灯を使用すれば、いままでの寿命を大幅に延ばすことができるようになる。この複数電極、複数フィラメントの蛍光灯を採用することにより、寿命の延長はもちろんのこと、省資源にも貢献できることになる。点灯しなくなった蛍光灯のゴミとしての廃棄量はおびただしいものである。このように古くなった蛍光灯の廃棄量を１／２〜１／５にすることは、資源、環境問題においても重要な取り組みとなる。
【図面の簡単な説明】
【００２６】
【図１】は蛍光灯、２Ｐ電極（フィラメント１個）の発光原理（モデル図）（一部断面図）である。（１）は正面図を示す図  （２）は（１）の平面図を示す図  （３）は（１）の左側面図を示す図  （４）は（１）の右側面図を示す図  （５）は（１）のＡ−Ａ断面図を示す図  （６）は（１）のＢ−Ｂ断面図を示す図
【図２】は蛍光灯、２Ｐ電極（フィラメント１個）のスタータ（グロー放電管）式点灯回路（一部断面図）である。
【図３】は蛍光灯、２Ｐ電極（フィラメント１個）のインバータ式点灯回路（一部断面図）である。
【図４】は蛍光灯、４Ｐ電極（フィラメント２個）の構造図である。（１）は正面図（一部断面図）を示す図  （２）は（１）の平面図（一部断面図）を示す図  （３）は（１）の左側面図を示す図  （４）は（１）の右側面図を示す図  （５）は（１）のＡ−Ａ断面図（拡大図）を示す図  （６）は（１）のＢ−Ｂ断面図（拡大図）を示す図
【図５】は蛍光灯、４Ｐ電極（フィラメント３個）の構造図である。（１）は正面図（一部断面図）を示す図  （２）は（１）の左側面図を示す図  （３）は（１）の右側面図を示す図  （４）は（１）のＡ−Ａ断面図（拡大図）を示す図  （５）は（１）のＢ−Ｂ断面図（拡大図）を示す図
【図６】は蛍光灯、５Ｐ電極（フィラメント４個）の構造図である。（１）は正面図（一部断面図）を示す図  （２）は（１）の左側面図を示す図  （３）は（１）の右側面図を示す図  （４）は（１）のＡ−Ａ断面図（拡大図）を示す図  （５）は（１）のＢ−Ｂ断面図（拡大図）を示す図
【図７】は蛍光灯、６Ｐ電極（フィラメント３個）の構造図である。（１）は正面図（一部断面図）を示す図  （２）は（１）の左側面図を示す図  （３）は（１）の右側面図を示す図  （４）は（１）のＡ−Ａ断面図（拡大図）を示す図  （５）は（１）のＢ−Ｂ断面図（拡大図）を示す図
【図８】は蛍光灯、６Ｐ電極（フィラメント５個）の構造図である。（１）は正面図（一部断面図）を示す図  （２）は（１）の左側面図を示す図  （３）は（１）の右側面図を示す図  （４）は（１）のＡ−Ａ断面図（拡大図）を示す図  （５）は（１）のＢ−Ｂ断面図（拡大図）を示す図
【図９】は蛍光灯、４Ｐ電極（フィラメント２個）にスタータ（グロー放電管）式点灯回路とスイッチ回路を設置した場合のモデル図である。
【図１０】は蛍光灯、４Ｐ電極（フィラメント２個）にインバータ式点灯回路とスイッチ回路を設置した場合のモデル図である。
【図１１】は蛍光灯、４Ｐ電極（フィラメント３個）にインバータ式点灯回路とスイッチ回路を設置した場合のモデル図である。
【図１２】は蛍光灯、５Ｐ電極（フィラメント４個）にインバータ式点灯回路とスイッチ回路を設置した場合のモデル図である。
【図１３】は蛍光灯、６Ｐ電極（フィラメント３個）にインバータ式点灯回路とスイッチ回路を設置した場合のモデル図である。
【図１４】は蛍光灯、６Ｐ電極（フィラメント５個）にインバータ式点灯回路とスイッチ回路を設置した場合のモデル図である。
【符号の説明】
【００２７】１  蛍光灯
２  ガラス管
３  口金
４  蛍光面
５  アルゴンガス
６  絶縁板
７  電子
８  水銀粒子
９  紫外線
１０  電極（１）Ａ
１２  電極（２）Ａ
１４  フィラメント（１）Ａ
１５  フィラメント（２）Ａ
１６  スタータ（グロー放電管）
１７  安定器（インダクタンス）
１８  ＡＣ１００Ｖ５０／６０Ｈｚ
１９  コンデンサ
２０  スイッチ（１）
２１  雑音防止用フィルタ
２２  整流回路
２３  高調波低減回路（平滑回路を含む）
２４  インバータ回路（高周波変換回路）
２５  高周波安定器
２６  インバータ式点灯回路
２７  電極（３）Ａ
３５  フィラメント（３）Ａ
３７  フィラメント（４）Ａ
３９  電極（５）Ａ
４７  フィラメント（５）Ａ
５３  電極（７）Ａ
５８  電極（８）Ａ
６３  フィラメント（７）Ａ
６７  フィラメント（８）Ａ
７１  電極（９）Ａ
７７  電極（１０）Ａ
８３  フィラメント（９）Ａ
８６  フィラメント（１０）Ａ
８９  電極（１１）Ａ
９５  電極（１２）Ａ
１０１  フィラメント（１１）Ａ
１０６  フィラメント（１２）Ａ
１１１  スイッチ（２）
１１２  接触子（２）
１１３  スイッチ（３）
１１５  接触子（３）
１１６  スイッチ（５）
１１８  接触子（５）
１１９  スイッチ（７）
１２１  接触子（７）
１２２  スイッチ（９）
１２４  接触子（９）
１２５  スイッチ（１１）
【図１】
2006339128.tif 000003
【図２】
2006339128.tif 000004
【図３】
2006339128.tif 000005
【図４】
2006339128.tif 000006
【図５】
2006339128.tif 000007
【図６】
2006339128.tif 000008
【図７】
2006339128.tif 000009
【図８】
2006339128.tif 000010
【図９】
2006339128.tif 000011
【図１０】
2006339128.tif 000012
【図１１】
2006339128.tif 000013
【図１２】
2006339128.tif 000014
【図１３】
2006339128.tif 000015
【図１４】
2006339128.tif 000016